(57)【要約】      （修正有）【課題】産業界、商業界における業績の向上、それに伴う人間関係等の円滑化を図り一般社会生活においても人間関係のよい構築、人間行動学、分析学、精神科学、医療科学分野等々との結合、融合を図ることにより解決する方法を提供する。【解決手段】独自に創造、開発、発明した様式、フォーマットを活用、利用、応用して人間行動科学、人間分析学、臨床心理学、深層心理学、精神科学等の各種分野の最新研究等との共同・協同・協働ならびにこれらの研究等を応用することにより、独創的、理論的、科学的、継続性のある人間関係の構築向上等の解決を図る。独自に創造、開発、発明した様式、フォーマットを活用、利用、応用して人間行動科学、人間分析学、臨床心理学、深層心理学、精神科学等各種分野の理論的、科学的結合、融合による創造的、進歩的かつ、持続的、継続的な人間関係の向上を図り、産業界、商業界の円滑かつ安定した経営を構築する。【選択図】図１
2011123855.tif 000002
【特許請求の範囲】
【請求項１】
図１から図１０にて示したごとく独自に創造、開発、発明しこれらの様式、フォーマットを利用、活用することによって産業界における営業活動の円滑化を図ることことを目的とした発明。
【請求項２】
図１から図１０にて示したごとく独自に創造、開発、発明した様式、フォーマットを活用し、人間行動学、人間分析学、深層心理学等ならびに精神科学との融合、結合によって人間性の向上が図られる発明。
【請求項３】
独自に創造、開発、発明した様式、フォーマットをを活用、利用、応用して人間行動科学、人間分析学、臨床心理学、深層心理学、精神科学等の各種分野の最新研究等との共同・協同・協働ならびにこれらの研究等を応用することにより、独創的、理論的、科学的、継続性のある人間関係の構築向上等の解決を図る
【発明の詳細な説明】
【技術分野】
【０００１】      １．商業上、産業上等における業務ならびに営業成績等の向上
２．産業界、商業上の活動にかかわる人間関係の円滑化、改善構築
３．人間本来の特性を発見し円滑に進めるために発明された高度なメソッド
【発明の概要】
【０００２】本発明は、産業上、商業上等に於ける経営、運営におけ向上ならびに構築形成に関するものである。さらに、当該発明は産業人あるいは産業界のみならず一般家庭における人間関係、人間の行動科学、人間分析学、臨床心理学等高度の精神科学性を融合、結合しもって内面的、外面的次元における人間の行動性の実現を図るものである。
【発明が解決しようとする課題】
【０００３】１．産業上、商業上等における業務ならびに営業成績等を本発明を通して、より向上させる。
２．産業上、商業上等の勤労者における意識の向上による営業成績あるいは業務成績等を向上させるための具体的な方策の創造、発明
３．産業的な成績向上に有益、有用な人間関係の構築に必要な方策
４．産業界が求めている、行動科学、人間分析学、臨床心理学等を結合、融合した持続的、かつ継続性のある人間関係の構築
５．人類が有する固有の特性を再発見し、あるべき姿を持った人類の生活をとりもどすこと。
６．人間関係の内面的、ならびに外面的次元における精神生活を含む一般生活の円滑さを取り戻すこと。
【課題を解決するための手段】
【０００４】１．人間行動科学、人間分析学、臨床心理学、深層心理学、精神科学等の各種分野の最新研究等との共同・協同・協働ならびにこれらの研究等を応用することにより、独創的、理論的、科学的、継続性のある人間関係の構築向上等の解決を図る。
２．人間行動科学、人間分析学、臨床心理学、深層心理学、精神科学等各種分野の理論的、科学的結合、融合による創造的、進歩的かつ、持続的、継続的な人間関係の向上が図られ、産業界、小業界の円滑かつ安定した経営が図られる。
３．独自に開発した各種様式、携帯に便利な各種ツール、書き込み式フォーマットの開発、創造、創作された各種ツール等の使用、活用によって解決する。
４．具体的行動、活動（実習等）による独創的、進歩的方策の導入
５．行動科学、人間分析学、臨床心理学、深層心理学、精神科学等の各種分野の最新研究、理論（心の三層構造論等）等の応用による、独創的、理論的、科学的、継続性のある人間関係の構築の導入
６．行動科学、人間分析学、臨床心理学、深層心理学、精神科学等医療分野等との理論的、科学的結合、融合による創造的、進歩的かつ、持続的、継続的な人間関係の構築の導入
７．未来内観コース、宇宙無限力体得コース、天使の光コース、真我瞑想コース等々の実習等にて体感、体験、体現し、さまざまな問題を解決する。
８．携帯に便利な各種ツール、書き込み式フォーマットの開発
９．具体的行動、活動（対面実習等）による独創的、進歩的方策の導入
【発明の効果】
【０００５】１．産業上、商業上、営業上の成績の向上と成功
２．一般社会生活における人間関係の円滑化
３．家庭における家族間の関係の円滑化
４．精神科学的特性の発見と応用
５．人間関係、企業間関係の構築と緊密化の促進
６．日本のみならず外国人への応用も可能
７．人類本来有する特性の再発見
８．精神科学的特性の発見と人間関係への応用
９．商業上、営業上の成績の向上と成功
【図面の簡単な説明】
【０００６】
【図１】：  ゴールデンタイムスケジュール  翌日のすべてのスケジュールをリストアップする  特に、顧客、経営者にとって最高の時間帯とスケジュールの確認
【図２】：  美点リスト  顧客、従業員、関係者のすべての美点を羅列する
【図３】：  サンタさんのプレゼント  顧客、従業員へのプレゼントリストならびにその反応リスト
【図４】：  お客様の喜びリスト  顧客、従業員等（時には経営者）等の喜びの反応と行動
【図５】：  商品のプロファイリング  商品、サービスが内包する特徴、推薦すべき点、研究開発から製品化までの歴史など
【図６】：  付加価値リスト  商品、サービスが有する特徴、よい点、強調点等のリスト
【図７】：  営業カード  商品、サービス、業務活動サークルにおけるアピールすべき特徴等のリスト
【図８】：  言い換えトレーニング  商品、サービス等における顧客からのクレーム、
【図９】：  心の三重構造  個個の人間が本来有している内面的な精神構造の分析とそれらの特性
【図１０】：  できなかったことリスト  当初の営業活動、人間関係において必要な言葉、行動ができなかったことリスト。これらの解決によって人間性の改造、精神性の向上、ストレス等の解消等医療科学上の諸問題が解決できる。
【発明を実施するための形態】
【０００７】１．本発明に擁する独自に創造、開発、発明された図１から図１０にて示した様式等のツールの利用、活用によって営業活動あるいは人間の個々の活動、人間関係の向上、将来、自己改造等の具体的な変革、効果がもたらされる。
２．具体的行動形態、実習等の導入、実施と応用
システム化された対面教育形態の導入と応用によって実施する
【実施例】
【０００８】  １．創造、開発、発明した独自の決定ノート、フォーマットの応用
図１にて示した、ゴールデンタイムスケジュールに実際に記載し、実践することにより自己管理
能力等の向上が図られるとともに、将来の行動に具体性と関係するそれぞれの人間関係が明白となる。
自己の翌日のすべてのスケジュールをリストアップすることによって行動が明白になるとともに特に、顧客、経営者にとって最高の時間帯とスケジュールの確認の形成がなされる。
図２にて示した独自に創造し発明した、美点リストのファーマットの応用、実践。
深層心理学、行動心理学上の応用ならびに精神医療ん分野との結合、融合によるものであり顧客、従業員、関係者のすべての美点を羅列し、これらを個々の行動の中で活用することによって業務活動、営業活動等の円滑化がなされる。認めるものは認められる。まさに
心理学的科学性を有するものである。
図３にて示した、独自に創造し、発明した、サンタさんのプレゼント
顧客、従業員へのプレゼントリストならびにその反応リストは商品、あるいはサ−ビス等それぞれが有している特徴、よい点
プレゼントリストならびにその反応リスト
図４にて示した、独自に創造し、発明したお客様の喜びリスト
顧客、従業員等（時には経営者）等の喜びの反応と行動がすべての産業界における商品、
あるいはサービス産業等の発展に貢献するものである。
図５にてしめした、商品のプロファイリング
商品、サービスが内包する特徴、推薦すべき点、研究開発から製品化までの歴史などの開示によって顧客、消費者、産業界全般にその信用性が増大し、安心と安全が確保される。
図６にて示した、独自に創造し、発明した、  付加価値リスト
商品、サービスが有する多くの特徴、よい点、強調点等のリスト、あるいはカタログ、会社案内等では記載されていない様々な美点、特徴を顧客あるいは株主、あるいは一般消費者に提供することによって顧客、従業員、一般消費者が安心、安全を求める釈迦への貢献でもありそれによって業績の工場、拡大が期待できる。
図７にてしめした、独自に創造し発明した、営業カード
商品、サービス、業務活動サークルにおけるアピールすべき特徴等のリストの作成ならびに実践は単に営業畑における応用のみならず、企業の経営に携わる関係者においても重要なる実践である。自社の商品、サービスの質的向上を図る上においても重要である。
図８にてしめした、独自に創造し、発明した、言い換えトレーニング
商品、サービス等における顧客からのクレーム、社内、産業界、社会全般に言える多くのあるいは各種クレーム等の処理の対応に当たっていかにそれぞれ満足の得られる解決策をもたらすことができるか。
図９にてしめした、独自に創造、開発、発明した、心の三重構造
個個の人間が本来有している内面的な精神構造の分析とそれらの特性の発掘とその応用はまさに高度に成長した精神生活分野と精神科学、医療科学分野との融合の成果である。究極の人間性の追及と発掘によって本来すべての人間が有している固有のものを認識、意識させることによって更なる人間性の向上、人間関係の構築に貢献できるものである。
図１０にてしめした、独自に創造、発明した、できなかったことリストは個々の人間の行動範囲における責任の範疇の責務の完成、次の行動に繋がる重要な要素を包含している。これらの自覚と認識がまさに周辺の人間関係関係の改善と構築に不可欠なものとなっている。
当初の営業活動、人間関係において必要な言葉行動ができなかったことリスト。
これらの解決によって人間性の改造、精神性の向上、ストレス等の解消等医療学上の諸問題が解決できる。
【産業上の利用可能性】
【０００９】１．独自に創造、開発発明した各種フォーマットは産業上、商業上に置いて多くの利用活用可能なものであり、営業活動のみならず全ての産業界への持続的、継続的な応用可能なものである。
２．企業社会生活のみならず一般社会、家族内生活の円滑化へ貢献も多大であり、人間関係の改善、産業界の発展、向上への円滑化も実証、証明されている。
３．人間関係、企業間関係の構築と緊密化を図ることができ、日本人あるいは日本国内のみならず海外との人的交流への応用、外国人との人間関係への応用、取引等にも応用できその活用範囲、応用範囲は多岐にわたっている。
４．独自に創造、開発、発明した多くのフォーマット、各種フォームは産業界において持続的活継続的に活用、することができる。
５．さらに独自に創造、開発した行動形態、運動、面接方式、対面方式等の形態についても商業、営業活動のみならず全ての産業界への持続的、継続的な応用が可能である。
６．企業社会生活のみならず一般社会、家族内生活の円滑化人間関係、企業間関係の構築と緊密化
【図１】
2011123855.tif 000003
【図２】
2011123855.tif 000004
【図３】
2011123855.tif 000005
【図４】
2011123855.tif 000006
【図５】
2011123855.tif 000007
【図６】
2011123855.tif 000008
【図７】
2011123855.tif 000009
【図８】
2011123855.tif 000010
【図９】
2011123855.tif 000011
【図１０】
2011123855.tif 000012